(57)【特許請求の範囲】
【請求項１】
アンテナ素子を構成する複数本の電線と、絶縁性のハウジングと、該ハウジングに取り付けられ、前記複数本の電線を互いに直列に接続する第１端子と、前記ハウジングに取付けられ、互いに直列に接続された前記複数本の電線の両端がそれぞれ接続される１対の第２端子とを備えたループアンテナであって、
前記第１端子の電線接続部及び前記第２端子の電線接続部が略平坦形状に形成されるとともに、前記複数本の電線の先端部を前記第１端子の電線接続部に案内する案内溝を前記ハウジング又は前記第１端子に設け、互いに接続された前記複数本の電線の両端部を前記第２端子の電線接続部に案内する案内溝を前記ハウジング又は前記第２端子に設け、
前記ハウジングが、前記第２端子の外部端子部の周囲に、該外部端子部の表層部よりも高い、マスキングテープ貼付用の壁部を有することを特徴とするループアンテナ。
【請求項２】
前記複数本の電線の先端部は前記第１端子の電線接続部に半田接続、レーザ溶接接続、又は超音波融着接続されると共に、互いに接続された前記複数本の電線の両端部は前記第２端子の電線接続部に半田接続、レーザ溶接接続、又は超音波融着接続されることを特徴とする請求項１記載のループアンテナ。
【請求項３】
前記ハウジングが、前記第１端子の電線接続部及び前記第２端子の電線接続部の周囲に壁を有することを特徴とする請求項１又は２記載のループアンテナ。
【請求項４】
前記第２端子の外部端子部が、ばね端子部であることを特徴とする請求項１乃至３のうちいずれか一項に記載のループアンテナ。
【発明の詳細な説明】
【技術分野】
【０００１】
本発明は、ループアンテナ、特に、ＲＦＩＤ（Ｒａｄｉｏ  Ｆｒｅｑｕｅｎｃｙ  Ｉｄｅｎｔｉｆｉｃａｔｉｏｎ）の送受信に用いられる巻線型のループアンテナに関する。
【背景技術】
【０００２】
ＲＦＩＤ等、無線によって信号をやりとりする機器（例えば、無線タグ等）にループアンテナが用いられている。
ループアンテナは、その構造によってＦＰＣ等を用いた平面型と巻線型とに大別される。
平面型のループアンテナが用いられる典型例としては、交通機関の乗車券等として用いられるＩＣカードがある。
【０００３】
一方、巻線型ループアンテナが用いられる典型例としては、その製造コストが安価である等の理由により、ＲＦＩＤ機能を持つ携帯電話機等の電子機器に用いられている。
この巻線型ループアンテナとして、従来、例えば、図７に示すものが知られている（特許文献１参照）。
図７に示すループアンテナ１０１は、３重のループアンテナの各ループ素子を構成する３本の電線１１０（１１０ａ，１１０ｂ，１１０ｃ）と、ＲＦＩＤ機能を持つ携帯電話機等の電子機器の筐体（図示せず）内部に実装される絶縁性のハウジング１２０とを備えている。また、ループアンテナ１０１は、それぞれ２本の電線１０を互いに直列に接続する２つの第１圧接端子１３０と、電線１０の一端に接続される１対の第２圧接端子１４０とを備えている。
【０００４】
ここで、各第１圧接端子１３０は、ハウジング１２０に設けられた第１案内溝（図示せず）に圧入される第１圧接部１３１と、当該ハウジング１２０に設けられた第２案内溝（図示せず）に圧入される第２圧接部１３２と、第１圧接部１３１及び第２圧接部１３２をつなぐブリッジ部１３３とを備えている。第１圧接部１３１は、第１案内溝の底面に配置される底板（図示せず）と、底板から立ち上がる２対の圧接刃１３４とを備えている。また、第２圧接部１３２は、第２案内溝の底面に配置される底板（図示せず）と、底板から立ち上がる２対の圧接刃１３５とを備えている。
【０００５】
そして、一方の第１圧接端子１３０（図７における上側の第１圧接端子）の第１圧接部１３１には、電線１１０ｃの他端部が圧接接続され、また、第２圧接部１３２には、電線１１０ａの一端部が圧接接続される。また、他方の第１圧接端子１３０（図７における下側の第１圧接端子）の第１圧接部１３１には、電線１１０ａの他端部が圧接接側され、また、第２圧接部１３２には、電線１１０ｂの一端部が圧接接続される。
【０００６】
また、１対の第２圧接端子１４０のうち一方の第２圧接端子１４０は、前記第１案内溝に圧入される圧接部１４１と、外部端子部１４３とを備えている。また、他方の第２圧接端子１４０は、前記第２案内溝に圧入される圧接部１４１と、外部端子部１４３とを備えている。そして、各圧接部１４１は、底板（図示せず）と底板から立ち上がる２対の圧接刃１４２とを備えている。一方の第２圧接端子１４０の圧接部１４１には、電線１１０ｂの他端部が圧接接続され、他方の第２圧接端子１４０の圧接部１４１には、電線１１０ｃの一端部が圧接接続される。
この図７に示したループアンテナ１０１によれば、各電線１１０（１１０ａ，１１０ｂ，１１０ｃ）の先端を各案内溝の壁面に付き当てた状態で各圧接部に圧接接続するので、各電線の１１０のループ長のばらつきを小さくすることができる。
【０００７】
また、巻線型ループアンテナの他の従来例として、図８に示すものも知られている（図８参照）。
図８に示すループアンテナ２０１は、図８（Ａ）に示すように、３重のループアンテナの各ループ素子を構成する３本の電線２１０を備えている。各電線２１０は、図８（Ｂ）に示すように、導体２１１に樹脂２１２を被覆してなる。３本の電線２１０は、外被２１３で覆われて集合電線２１４を構成する。
【０００８】
また、ループアンテナ２０１は、集合電線２１４の両端部において、各電線２１０の端部が電気的に接続される端子部２２１を一面の両端に備えた基板２２０を備えている。基板２２０の他面には、一端の端子部２２１に接続された電線２１０の一端と、他端の端子部２２１に接続された電線２１０の他端とを電気的に接続し、接続された電線２１０が一連をなし、かつ環状のコイルとなるような配線パターン（図示せず）が形成されている。なお、端子部２２１と各電線２１０の導体２１１とは、半田により接続することが好適とされている。
【先行技術文献】
【特許文献】
【０００９】
【特許文献１】特開２００９−６０５１９号公報
【特許文献２】特開２００９−１００１８８号公報
【発明の概要】
【発明が解決しようとする課題】
【００１０】
しかしながら、これら図７に示したループアンテナ１０１及び図８に示したループアンテナ２０１にあっては、以下の問題点があった。
即ち、図７に示したループアンテナ１０１の場合、第１圧接端子１３０及び第２圧接端子１４０といった圧接端子を利用しているため、薄型（例えば、１．４５ｍｍ以下の高さ、この１．４５ｍｍは電線の外径に対応する高さ）にすることが困難である。巻線型ループアンテナを用いるＲＦＩＤ機能を持つ携帯電話機等の電子機器においては、近年、ループアンテナの薄型化の要請が多い。
【００１１】
また、図８に示すループアンテナ２０１の場合、各電線２１０の導体２１１を端子部２２１に接続する際に、導体２１１を端子部２２１に整列させるのが容易ではなく、導体２１１の整列作業性に問題がある。
従って、本発明は、上述の問題点を解決するためになされたものであり、その目的は、電線及び電線接続部の整列が容易にできるとともに、薄型化を可能としたループアンテナを提供することにある。
【課題を解決するための手段】
【００１２】
上記目的を達成するために、本発明のうち請求項１に係るループアンテナは、アンテナ素子を構成する複数本の電線と、絶縁性のハウジングと、該ハウジングに取り付けられ、前記複数本の電線を互いに直列に接続する第１端子と、前記ハウジングに取付けられ、互いに直列に接続された前記複数本の電線の両端がそれぞれ接続される１対の第２端子とを備えたループアンテナであって、前記第１端子の電線接続部及び前記第２端子の電線接続部が略平坦形状に形成されるとともに、前記複数本の電線の先端部を前記第１端子の電線接続部に案内する案内溝を前記ハウジング又は前記第１端子に設け、互いに接続された前記複数本の電線の両端部を前記第２端子の電線接続部に案内する案内溝を前記ハウジング又は前記第２端子に設け、前記ハウジングが、前記第２端子の外部端子部の周囲に、該外部端子部の表層部よりも高い、マスキングテープ貼付用の壁部を有することを特徴としている。ここで、「略平坦形状」とは、電線接続部に電線の芯線が載置された際に、電線接続部のいかなる部分も当該芯線の高さよりも低いことを意味するので、例えば若干湾曲した部分を有するものも含まれる。
【００１３】
また、本発明のうち請求項２に係るループアンテナは、請求項１記載のループアンテナにおいて、前記複数本の電線の先端部は前記第１端子の電線接続部に半田接続、レーザ溶接接続、又は超音波融着接続されると共に、互いに直列に接続された前記複数本の電線の両端部は前記第２端子の電線接続部に半田接続、レーザ溶接接続、又は超音波融着接続されることを特徴としている。
また、本発明のうち請求項３に係るループアンテナは、請求項１又は２記載のループアンテナにおいて、前記ハウジングが、前記第１端子の電線接続部及び前記第２端子の電線接続部の周囲に壁を有することを特徴としている。
【００１４】
更に、本発明のうち請求項４に係るループアンテナは、請求項１乃至３のうちいずれか一項に記載のループアンテナにおいて、前記第２端子の外部端子部が、ばね端子部であることを特徴としている。
【発明の効果】
【００１５】
本発明に係るループアンテナによれば、第１端子の電線接続部及び第２端子の電線接続部が略平坦形状に形成されるので、ループアンテナの薄型化を可能とすることができる。また、複数本の電線の先端部を第１端子の電線接続部に案内する案内溝をハウジング又は第１端子に設け、互いに直列に接続された複数本の電線の両端部を第２端子の電線接続部に案内する案内溝をハウジング又は第２端子に設けたので、電線を電線接続部に整列させるのを容易に行え、製造工程を簡略化することができる。
【図面の簡単な説明】
【００１６】
【図１】本発明に係るループアンテナの第１実施形態を示し、（Ａ）は斜視図、（Ｂ）は（Ａ）の矢印１Ｂ部分の拡大図である。
【図２】図１に示すループアンテナにおいて、電線接続部を接着剤で覆う前の状態を示し、（Ａ）は斜視図、（Ｂ）は（Ａ）の矢印２Ｂ部分の斜視図である。
【図３】図２に示す状態のループアンテナの平面図である。
【図４】本発明に係るループアンテナの第２実施形態を示し、（Ａ）は電線接続部を接着剤で覆う前の状態の斜視図、（Ｂ）は（Ａ）の矢印４Ｂ部分の拡大図である。
【図５】図４に示すループアンテナにおいて、マスキングテープを貼着した場合の断面図である。
【図６】本発明に係るループアンテナの第３実施形態を示し、（Ａ）は斜視図、（Ｂ）は（Ａ）の矢印６Ｂ部分の拡大図である。
【図７】従来例のループアンテナの平面図である。
【図８】従来の他の例のループアンテナを示し、（Ａ）は平面図、（Ｂ）は（Ａ）の８Ｂ−８Ｂ線に沿う断面図である。
【発明を実施するための形態】
【００１７】
以下、本発明の実施の形態を図面を参照して説明する。図１乃至図３は本発明に係るループアンテナの第１実施形態を示している。
図１乃至図３に示すループアンテナ１は、ＲＦＩＤ機能を有する携帯電話機に好適なループアンテナとして構成されている。
このループアンテナ１は、３重のループアンテナの各アンテナ素子を構成する３本の電線１０（１０ａ，１０ｂ，１０ｃ）と、ＲＦＩＤ機能を有する携帯電話機の筐体（図示せず）の内部に実装される絶縁性のハウジング２０とを備えている。また、ループアンテンナ１は、それぞれ２本の電線１０を互いに直列に接続する２つの第１端子３０と、電線１０の一端に接続される１対の第２端子４０とを備えている。
【００１８】
各電線１０は、図２（Ｂ）に示すように、芯線１１の周囲に被覆１２を設けてなり、芯線１１は銅線等が用いられる。３本の電線１０は、３重ループ状に互いに直列に接続され、３重のループアンテナを構成する。各電線１０は、ループアンテナ１が使用される周波数に応じた長さに予め正確に備えられている。また、３本の電線１０は、１本のケーブルとして構成されている。なお、３本の電線１０として、ばらばらの電線１０を用いてもよい。
【００１９】
ハウジング２０は、絶縁性の樹脂を成形することによって一体的に形成されている。ハウジング２０は、図２（Ｂ）及び図３に示すように、２つの第１端子３０と１対の第２端子４０それぞれの電線接続部４１とが配置される第１ハウジング部２１と、１対の第２端子それぞれの外部端子部４３が配置される第２ハウジング部２２とを備えている。第１ハウジング部２１及び第２ハウジング部２２は、ほぼ同一の板厚でそれぞれ矩形形状に形成されている。
【００２０】
２つの第１端子３０は、図３に示すように、ハウジング２０の第１ハウジング部２１において、前側（図３における下側）と後側に互いに平行になるようにそれぞれ配置される。各第１端子３０は、図２（Ｂ）及び図３に示すように、前後方向に直交する左右方向（図３における左右方向）に細長く延びる基部３１と、基部３１の左右両端に設けられた１対の電線接続部３２とを備えている。各第１端子３０は、銅合金等の金属板を打抜き加工することによって形成される。各第１端子３０は、左右方向に細長い矩形形状板で、基部３１と電線接続部３２とが直線状に連続するように形成されている。各第１端子３０は、ハウジング２０の第１ハウジング部２１にインサート成形することによって固定される。
【００２１】
ここで、各第１端子３０の電線接続部３２は、表面が第１ハウジング部２１から露出しており、略平坦形状に形成されている。ここで、「略平坦形状」とは、電線接続部３２に電線１０の芯線１１が載置された際に、電線接続部３２のいかなる部分も当該芯線１１の高さよりも低いことを意味する。「略平坦形状」には、完全に平坦なもののみならず、若干湾曲した部分を有するものも含まれる。
【００２２】
また、１対の第２端子４０の各々は、図２（Ｂ）及び図３に示すように、左右方向に細長く延びる電線接続部４１と、前後方向及び左右方向に幅広く延びた矩形形状の外部端子部４３と、電線接続部４１と外部端子部４３とを連結する連結部４２とを備えている。各第２端子４０は、銅合金等の金属板を打抜き及び曲げ加工することによって形成される。１対の第２端子４０は、それぞれの電線接続部４１が第１ハウジング部２１において前側の第１端子３０よりも前側でかつ互いに左右方向に対向するように、それぞれの外部端子部４３が第２ハウジング部２２において互いに左右方向に対向するように配置される。各第２端子４０は、第１ハウジング部２１及び第２ハウジング部２２にインサート成形することによって固定される。
各第２端子４０の電線接続部４１は、表面が第１ハウジング部２１から露出しており、略平坦形状に形成されている。この「略平坦形状」の意味は、第１端子３０の電線接続部３２と同様である。
【００２３】
そして、図２（Ｂ）及び図３に示すように、後側の第１端子３０の左端側の電線接続部３２には、電線１０ａの一端部が半田１３により接続され、また、右端側の電線接続部３２には、電線１０ｃの他端部が半田１３により接続される。また、前側の第１端子３０の左端側の電線接続部３２には、電線１０ｂの一端部が半田１３により接続され、右端側の電線接続部３２には、電線１０ａの他端部が半田１３により接続される。更に、１対の第２端子４０のうち左側の第２端子４０の電線接続部４１には、電線１０ｃの一端部が半田１３により接続され、右側の第２端子４０の電線接続部４１には、電線１０ｂの他端部が半田１３により接続される。また、各第２端子４０の外部端子部４３は、相手基板の接点に押し付けられて電気的接続をなすようになっている。
【００２４】
ここで、ハウジング２０の第１ハウジング部２１には、図２（Ｂ）及び図３に示すように、３本の電線１０の先端部、即ち、電線１０ａの一端部及び他端部、電線１０ｂの一端部、及び電線１０ｃの他端部を第１端子３０の電線接続部３２に案内する４つの案内溝２３が設けられている。４つの案内溝２３は、後側第１端子３０の左右両側の電線接続部３２の左右外側及び前側第１端子３０の左右両側の電線接続部の左右外側であって第１ハウジング部２１の左右側縁から連続するように設けられる。各案内溝２３は、第１ハウジング部２１の表面から立ち上がる１対の側壁２５ａ，２５ｂ間に形成される。各案内溝２３の幅は、３本の電線１０の芯線１１の先端部がそれぞれ電線接続部３２に半田接続される際に、各電線１０の被覆１２を前後両側から案内して当該先端部が各電線接続部３２上に位置する幅に設定される。
【００２５】
また、ハウジング２０の第１ハウジング部２１には、図２（Ｂ）及び図３に示すように、互いに直列に接続された２本の電線１０の両端部、即ち、電線１０ｃの一端部及び電線１０ｂの他端部を第２端子４０の電線接続部４１に案内する２つ案内溝２４が設けられている。２つの案内溝２４は、１対の第２端子４０の電線接続部４１の左右両側であって第１ハウジング部２１の左右側縁から連続するように設けられる。各案内溝２４は、案内溝２３と同様に、第１ハウジング部２１の表面から立ち上がる１対の側壁２５ａ，２５ｂ間に形成される。各案内溝２４の幅は、互いに直列に接続された２本の電線１０の芯線１１の両端部がそれぞれ電線接続部４１に半田接続される際に、各電線１０の被覆１２を前後両側から案内して当該両端部が各電線接続部４１上に位置する幅に設定される。
【００２６】
更に、ハウジング２０の第１ハウジング部２１には、４つの第１端子３０の電線接続部３２及び１対の第２端子４０の電線接続部４１の周囲を囲う壁２６が設けられている。この壁２６は、矩形形状に形成された第１ハウジング部２１の表面外縁から立ちあがって矩形状をなしている。壁２６には、４つの案内溝２３及び２つの案内溝２４と連通する切欠きが形成され、各電線１０の被覆１２が挿通できるようになっている。この壁２６は、後述するように、第１ハウジング部２１に接着剤５０を塗布して各電線接続部３２，４１を覆うときに、接着剤５０の外部端子部４３への流れ込みを阻止する機能を有する。
【００２７】
次に、ループアンテナ１の組立方法について説明する。
先ず、第１端子３０及び第２端子４０をハウジング２０に取り付けた状態で、各電線１０を半田接続するのに先立ち、第２ハウジング部２２に配置されている各第２端子４０の外部端子部４３をマスキングテープ（図示せず）で覆う。これにより、各外部端子部４３を保護し、半田接続時に半田フラックスが外部端子部４３に飛び散るのを阻止する。
【００２８】
次いで、図２（Ｂ）に示すように、後側の第１端子３０の左端側の電線接続部３２に、電線１０ａの一端部を半田１３により接続し、また、右端側の電線接続部３２に、電線１０ｃの他端部を半田１３により接続する。また、前側の第１端子３０の左端側の電線接続部３２に、電線１０ｂの一端部を半田１３により接続し、右端側の電線接続部３２に、電線１０ａの他端部を半田１３により接続する。更に、１対の第２端子４０のうち左側の第２端子４０の電線接続部４１に、電線１０ｃの一端部を半田１３により接続し、右側の第２端子４０の電線接続部４１に、電線１０ｂの他端部を半田１３により接続する。これにより、３本の電線１０（１０ａ，１０ｂ，１０ｃ）が、３重ループ状に互いに直列に接続され、３重のループアンテナが構成される。
【００２９】
ここで、電線１０ａの一端部及び他端部、電線１０ｂの一端部、及び電線１０ｃの他端部を第１端子３０の電線接続部３２に半田接続する際には、作業者は、各電線１０（１０ａ，１０ｂ，１０ｃ）の被覆１２を各案内溝２３に位置させる。このとき、各案内部２３が、各電線１０（１０ａ，１０ｂ，１０ｃ）の被覆１２を前後両側から案内して電線１０ａの一端部及び他端部、電線１０ｂの一端部、及び電線１０ｃの他端部を第１端子３０の電線接続部３２上に案内する。このため、３本の電線１０（１０ａ，１０ｂ，１０ｃ）の先端部を電線接続部３２に整列させるのを容易に行うことができる。よって、各電線１０（１０ａ，１０ｂ，１０ｃ）の先端部の整列作業が簡易となり、製造工程を簡略化することができる。
【００３０】
また、電線１０ｃの一端部及び電線１０ｂの他端部を第２端子４０の電線接続部４１に半田接続する際には、作業者は、各電線１０（１０ｂ，１０ｃ）の被覆１２を各案内溝２４に位置させる。このとき、各案内部２４が、各電線１０（１０ｂ，１０ｃ）の被覆１２を前後両側から案内して電線１０ｃの一端部及び電線１０ｂの他端部を第２端子４０の電線接続部４１上に案内する。このため、互いに直列に接続された３本の電線１０（１０ａ，１０ｂ，１０ｃ）の両端部を電線接続部４１に整列させるのを容易に行うことができる。
【００３１】
次に、図１（Ｂ）に示すように、第１ハウジング部２１に自然硬化型接着剤あるいはＵＶ硬化型接着剤等の接着剤５０を塗布して各電線接続部３２，４１を覆う。これにより、各電線接続部３２，４１と各電線１０の芯線１１との接続部分を保護するとともに、各電線接続部３２，４１間の絶縁を確保する。
ここで、ハウジング２０の第１ハウジング部２１には、第１端子３０の４つの電線接続部３２及び１対の第２端子３０の電線接続部４１の周囲を囲う壁２６が設けられている。このため、第１ハウジング部２１に接着剤５０を塗布して各電線接続部３２，４１を覆うときに、壁２６により、接着剤５０の外部端子部４３への流れ込みが阻止される。よって、外部端子部４３へ流れ込んだ接着剤５０を除去する作業が不要となる。
以上の作業の後に、最後に、マスキングテープを除去する。これにより、ループアンテナ１が完成する。
【００３２】
このように完成したループアンテナ１は、各外部端子部４３が、携帯電話機の筐体内の回路基板に接続された相手端子部に接触した状態で、当該筐体内に実装される。
本実施形態におけるループアンテナ１においては、各第１端子３０の電線接続部３２及び各第２端子４０の電線接続部４１が略平坦形状に形成されるので、ループアンテナ１の薄型化、例えば１．４５ｍｍ以下の高さを可能とすることができる。
【００３３】
また、前述したように、３本の電線１０の先端部を第１端子３０の電線接続部３２に案内する案内溝２３をハウジング２０に設け、互いに直列に接続された３本の電線１０の両端部を第２端子４０の電線接続部４１に案内する案内溝２４をハウジング２０に設けた。このため、電線１０を電線接続部３２，４１に整列させるのを容易に行え、製造工程を簡略化することができる。
【００３４】
次に、本発明に係るループアンテナの第２実施形態を図４及び図５を参照して説明する。図４は、本発明に係るループアンテナの第２実施形態を示し、（Ａ）は電線接続部を接着剤で覆う前の状態の斜視図、（Ｂ）は（Ａ）の矢印４Ｂ部分の拡大図である。図５は、図４に示すループアンテナにおいて、マスキングテープを貼着した場合の断面図である。図４及び図５においては、図１乃至図３における構成部材と同一の構成部材については同一の符号を付し、重複した説明は省略する。
【００３５】
図４及び図５に示すループアンテナ１は、図１乃至図３に示すループアンテナ１と基本構成は同一である。しかし、図４及び図５に示すループアンテナ１は、ハウジング２０の第２ハウジング部２２に、１対の第２端子４０の外部端子部４３の周囲に外部端子部４３の表層部よりも高い壁部２７を設けた点で図１乃至図３に示すループアンテナ１と異なっている。
【００３６】
即ち、図４及び図５に示すループアンテナ１において、矩形形状に形成された第２ハウジング部２２の表面外縁に、外部端子部４３の表層部よりも高くなるように該表面外縁から立ち上がる壁部２７が設けられている。
この壁部２７は、図５に示すように、各電線１０の半田接続に先立ち、第２ハウジング部２２に配置されている各第２端子４０の外部端子部４３をマスキングテープ６０で覆う際に、壁部２７の上面上にマスキングテープ６０を貼着させるものである。
【００３７】
この壁部２７は、外部端子部４３の表層部よりも高くなっているから、壁部２７の上面上にマスキングテープ６０を貼着すると、図５に示すように、外部端子部４３とは離れた位置に貼着されることになる。このため、マスキングテープ６０が外部端子部４３に接触するのが防止され、外部端子部４３上にマスキングテープ６０の糊残りを防止することができる。
更に、本発明に係るループアンテナの第３実施形態を図６を参照して説明する。図６は、本発明に係るループアンテナの第３実施形態を示し、（Ａ）は斜視図、（Ｂ）は（Ａ）の矢印６Ｂ部分の拡大図である。図６においては、図１乃至図３における構成部材と同一の構成部材については同一の符号を付し、重複した説明は省略する。
【００３８】
図６に示すループアンテナ１は、図１乃至図３に示すループアンテナ１と基本構成は同一である。しかし、図６に示すループアンテナ１は、各第２端子４０の外部端子部４３の構造及び形状が図１乃至図３に示すループアンテナ１の外部端子部４３と異なっている。
即ち、図６に示すループアンテナ１における第２端子部４３は、第２ハウジング部２２の上面上を延びる略矩形形状の基部４３ａと、基部４３ａの前端（図６（Ｂ）における下端）から湾曲するように折り返されたばね部４３ｂとを備えている。基部４３ａは、連結部４２から延びている。また、第２端子部４３は、ばね部４３ｂの先端から上方に延びて湾曲する接触部４３ｃを備えている。接触部４３ｃは、携帯電話機の筐体内の回路基板に接続された相手端子部に弾性的に接触する。また、第２端子部４３は、接触部４３ｃに予め荷重を負荷するプリロード付与部４３ｄを備えている。
【００３９】
このように、図６に示すループアンテナ１における第２端子部４３は、ばね部４３ｂを設けて接触部４３ｃを弾性的に上下方向に変位可能とするよう構成され、ばね端子部となっている。これにより、携帯電話機の筐体内の回路基板に接続された相手端子部を弾性的に変位可能とする必要はなくなり、相手端子部の形状を弾性部を不要とした簡単な形状とすることができる。
【００４０】
以上、本発明の実施形態について説明してきたが、本発明はこれに限定されず、種々の変更、改良を行うことができる。
例えば、ループアンテナ１では、３本の電線１０ａ，１０ｂ，１０ｃを用いて、３重のループアンテナを構成しているが、用いる電線１０の数及びループアンテナの巻数は適宜増減することができる。用いる電線１０の数は２本以上であればよい。この際に、用いる第１端子３０の数は、用いる電線１０の数よりも１つ少ない。
【００４１】
また、３本の電線１０の先端部を第１端子３０の電線接続部３２に案内する案内溝２３を第１ハウジング部２１に設けたが、当該案内溝２３を第１端子３０に設けてもよい。同様に、互いに直列に接続された３本の電線１０の両端部を第２端子４０の電線接続部４１に案内する案内溝２４を第１ハウジング部２１に設けたが、当該案内溝２４を第２端子４０に設けても良い。
また、３本の電線１０の芯線１１の先端部は第１端子３０の電線接続部３２に半田接続されているが、半田接続以外の例えば、レーザ溶接接続、超音波融着接続であってもよい。互いに直列に接続された３本の電線１０の両端部の電線接続部４１に対する接続も同様である。
【００４２】
また、第１端子３０の電線接続部３２及び第２端子４０の電線接続部４１の周囲に設けた壁２６は、全ての電線接続部３２及び電線接続部４１の周囲を囲うように形成されているが、４つの電線接続３２の各々及び２つの電線接続部４１の各々を囲うように複数設けても良い。
さらに、外部端子部４３の表層部よりも高い壁部２７は、第２ハウジング部２２の表面外縁に設ける必要は必ずしもなく、各外部端子部４３を取り囲むように複数設けても良い。
【符号の説明】
【００４３】
１  ループアンテナ
１０（１０ａ，１０ｂ，１０ｃ）  電線
２０  ハウジング
２３，２４  案内溝
２６  壁
２７  壁部
３０  第１端子
３２  電線接続部
４０  第２端子
４１  電線接続部
【図１】
0005616132.tif 000002
【図２】
0005616132.tif 000003
【図３】
0005616132.tif 000004
【図４】
0005616132.tif 000005
【図５】
0005616132.tif 000006
【図６】
0005616132.tif 000007
【図７】
0005616132.tif 000008
【図８】
0005616132.tif 000009